(57)【要約】【課題】キー挿入孔にキーを挿入し該キーの回転動作を行うキーロック装置に係り、前記キーを挿入するキー挿入孔にシャッタを配設することで、本体の短胴化を図ることを目的とする。【解決手段】操作軸２側面上方の貫通孔２ｅ内に弾性部材２ａを介してシャッタ２ｃを配設し、前記シャッタ２ｃが前記弾性部材２ａの伸縮方向へスライドする構造としたため、前記シャッタ２ｃが本体下方へ侵入せずに、本体の短胴化を図れるようにした。【選択図】      図３
2006328726.tif 000002
【特許請求の範囲】
【請求項１】
本体内に上面の略中央部にキー挿入孔を設けた操作軸を配備し、前記キー挿入孔にキーを挿入し該キーの回転動作を行うキーロック装置において、前記操作軸の側面上方に前記キー挿入孔に向かう貫通孔を設け、該貫通孔に弾性部材を介してシャッタを配設し、前記キーの抜き差しにより前記シャッタの開閉を行うことを特徴としたキーロック装置。
【請求項２】
前記操作軸の側面上方に前記キー挿入孔に向かう貫通孔を対向して設け、該貫通孔に弾性部材を介してシャッタを配設し、前記キーの抜き差しにより前記シャッタの開閉を行うことを特徴としたキーロック装置。
【発明の詳細な説明】
【技術分野】
【０００１】
本発明は、キー挿入孔にキーを挿入し該キーの回転動作を行うキーロック装置に係り、操作軸側面上方の貫通孔内にシャッタを配設することで、本体の短胴化を図るためのものである。
【背景技術】
【０００２】
従来、キー挿入孔にキーを挿入し該キーの回転動作を行うキーロック装置はキー挿入孔にシャッタが無いかもしくは図８に示すようにシャッタ１０２ｃの左右のいずれか一方がねじりコイルバネ１０８を介した軸１０９を中心として回動され、さらにその上方よりキー挿入孔１０２ｂを配備した上蓋１１０により嵌着されていた。この状態でキー１０１を挿入すると図９に示すように前記シャッタ１０２ｃが前記軸１０９を中心に操作軸１０２下方へ略四半回転する構造となっており、前記キー１０１を抜くと前記ねじりコイルバネ１０８の弾性力により前記シャッタ１０２ｃが操作軸１０２上方へ復帰する構造となっていた。
【特許文献１】なし
【発明の開示】
【発明が解決しようとする課題】
【０００３】
しかしながら、上記のような従来のキーロック装置はシャッタ１０２ｃが軸１０９による固定箇所を中心に操作軸１０２下方へ略四半回転する構造であったため、本体がキー挿入方向へ長くなってしまい、小形化が難しくなってしまうという欠点があった。そこで、本発明は上記問題を解決するために、シャッタの配設に特徴を持たせ、組立が容易で本体の短胴化を図ったキーロック装置を提供することを目的とする。
【課題を解決するための手段】
【０００４】
本発明は、上記目的を達成するために、キー挿入孔にキーを挿入し該キーの回転動作を行うキーロック装置に係り、操作軸側面上方の貫通孔内に弾性部材を介してシャッタを配設し、シャッタが弾性部材の伸縮方向へスライドする構造としたため、本体下方へ侵入せずに、本体の短胴化を図れるようにした。
【発明の効果】
【０００５】
（１）本発明のキーロック装置における本体内の上面の略中央部にキー挿入孔を設けた操作軸を配備し、該操作軸の側面上方に前記キー挿入孔に向かう貫通孔を設け、該貫通孔に弾性部材を介してシャッタを配設したため、シャッタが弾性部材の伸縮方向へスライドし、シャッタの左右のいずれか一方がねじりコイルバネを介した軸により固定されスイッチ本体下方へ略四半回転する従来のキーロック装置よりも、本体を短胴化することができる。
（２）本発明のキーロック装置の本体内に配備された操作軸の側面上方に前記キー挿入孔に向かう貫通孔を設け、該貫通孔に弾性部材を介してシャッタを配設したため、キーを挿入していない状態では弾性部材の押圧力によりシャッタが常に閉じているため、シャッタが配設されていなかった従来のキーロック装置よりも防水、防塵効果が得られる。
（３）本発明のキーロック装置に配備された操作軸側面上方の貫通孔内に弾性部材を介してシャッタを配設する構造としたため、シャッタの左右のいずれか一方がねじりコイルバネを介した軸により固定され、さらにその上方よりキー挿入孔を配備した上蓋により嵌着されて構成されていた従来の構造よりも組立工程が少なく容易に製造することができる。
【発明を実施するための最良の形態】
【０００６】
本発明のキーロック装置は本体内に上面の略中央部にキー挿入孔を設けた操作軸を配備し、該操作軸の側面上方に前記キー挿入孔に向かう貫通孔を設け、該貫通孔に弾性部材を介してシャッタを配設したため、キーを前記キー挿入孔に挿入していない時は弾性部材の押圧力により常にシャッタが閉じているため防水、防塵効果が得られ、前記キーを前記キー挿入孔に挿入したときは前記シャッタが前記弾性部材の伸縮方向へスライドするため本体の短胴化を図ることができる。
【実施例】
【０００７】
以下、本発明の実施例について、図面を参照しながら詳細に説明する。
【０００８】
図１は本発明のキーロック装置の分解斜視図、図２は本発明のキーロック装置のキー挿入前の平面図、図３は図２におけるＸ−Ｘ’方向の断面図、図４は図２におけるＹ−Ｙ’方向の断面図である。図１、図２、図３、図４に示すように、該操作軸２上面にはキー挿入孔２ｂが設けられ、さらに前記操作軸上部側面にはシャッタ２ｃを挿入するための貫通孔２ｅがあいており、該貫通孔２ｅにはシャッタ２ｃおよび弾性部材２ａが挿入される。前記シャッタ２ｃ先端はキー１を挿入しやすくするために傾斜部２ｄが設けられている。
【０００９】
コイルバネ２ｆはディスク２ｇ及び固定金具２ｋの切欠部２ｈ、２ｌとそれぞれ接触した状態で、前記操作軸２中段側面に挿入される。挿入されたディスク２ｇおよび固定金具２ｋは凸部２ｉ、２ｍが前記操作軸２内部に設けられた段部（図示なし）と嵌合され外へ抜けない構造となっている。この状態の時、前記ディスク２ｇ及び前記固定金具２ｋは前記コイルバネ２ｆの弾性力により先端部２ｊ、２ｎがそれぞれ前記操作軸２の外へ出た状態となっており、この状態でキー１を挿すと、該キー１の凹凸が前記ディスク２ｇと接触することでコイルバネ２ｆが収縮し、操作軸２内部へ押し込まれ先端部２ｊも内部へ押し込まれる。このように前記キー１を挿した状態でハウジング３の貫通孔３ｂの内壁へ前記固定金具２ｋの先端部２ｎを押し付けて操作軸２内部の最下方まで挿入していき、ハウジング３内部の段部３ｄを過ぎたところで前記固定金具２ｋの先端部２ｎが外へ出て該先端部２ｎが前記段部３ｄと嵌合することにより前記操作軸２がハウジング３から上方へ戻ることができなくなり、さらに前記弾性部材も外へ飛び出さなくなる。
【００１０】
前記操作軸２の下段には段々に径が小さくなる３段の円が重なった転換子４上部の凹部４ａが嵌着される。該転換子４の中段の円の側面には貫通孔４ｃを設け、該貫通孔４ｃにはコイルバネ４ｄが挿入され、さらに該コイルバネ４ｄの両端にはスチールボール４ｂが挿入され、該コイルバネ４ｄの反発力により前記スチールボール４ｂが外へ飛び出さぬよう、下方より切換子５が前記貫通孔４ｃを覆うように嵌着される。また、前記切換子５はハウジング３の内面に圧入する等して回転止めが計られる。
【００１１】
このような構成により、図５に示すように、前記キー１を前記キー挿入孔２ｂに挿入すると前記シャッタ２ｃが前記キー１の挿入する力により押し広げられる。また、ねじ溝３ｃには座金８およびナット９を取り付けることが可能で、本キーロック装置をパネルにも取り付けることができる。
【００１２】
図６は図４に示した本発明のキーロック装置を用いて構成したキースイッチの例である。前記転換子４の下段の円の下面に穴４ｅを設け、また側面は縦溝（図示なし）により２分割されている。該穴４ｅにはコイルバネ４ｆが挿入されており、さらにその下方より前記縦溝に可動接片８が挿入されている。また、基体９には、共通接片１０と固定接片１１が配設されており、前記可動接片８が前記コイルバネ４ｆにより常に下方に押圧されていることにより、常に前記可動接片８が前記共通接片１０、前記固定接片１１と接触していることができる。このような構造において、キーを挿入して回転させることにより前記可動接片８を回転させて電路の開閉を行う。
【００１３】
図７は図４に示した本発明のキーロック装置を用いて構成した施錠装置の例である。前記転換子４下部の穴４ｅに該穴４ｅと同一径の棒１２を嵌着し、該棒１２にロック金具１３を通過させ、下部より前記棒１２を加締めて前記ロック金具１３を固定し、前記キー１の回転と共に前記ロック金具１３を回転させ、対象物の施錠を行う。
【００１４】
また、本発明は上記実施例に限定されるものではなく、本発明の趣旨に基づいて種々の変形が可能である。例えば、シャッタがキー挿入時にキー挿入方向と垂直方向に左右へスライドするのではなく、左右どちらか一方向へスライドする等である。これらを本発明の方法の範囲から排除するものではない。
【産業上の利用可能性】
【００１５】
本発明のキー挿入機構は本体の上面にキー挿入孔及びシャッタを配設し、キーを挿入していない通常時は防水、防塵のためシャッタが閉じており、前記キー挿入時のみ前記シャッタが前記キー挿入方向と垂直方向にスライドするようにしたので、本体の短胴化を図ることができる。
【図面の簡単な説明】
【００１６】
【図１】本発明のキーロック装置の分解斜視図である。
【図２】本発明のキーロック装置のキーを挿入していない通常時の平面図である。
【図３】本発明のキーロック装置のキーを挿入していない通常時の断面図である。
【図４】本発明のキーロック装置のキーを挿入していない通常時の断面図である。
【図５】本発明のキーロック装置のキーを挿入した時の断面図である。
【図６】本発明のキーロック装置を用いて構成したキースイッチの断面図である。
【図７】本発明のキーロック装置を用いて構成した施錠装置の断面図である。
【図８】従来のキーロック装置のキーを挿入していない通常時の断面図である。
【図９】従来のキーロック装置のキーを挿入した時の断面図である。
【符号の説明】
【００１７】
１、１０１  キー
２、１０２  操作軸
２ａ  弾性部材
２ｂ、１０２ｂ  キー挿入孔
２ｃ、１０２ｃ  シャッタ
２ｄ  傾斜部
２ｅ、３ｂ、４ｃ  貫通孔
２ｆ、４ｄ、４ｆ、１０２ｆ、１０４ｄ  コイルバネ
２ｇ  ディスク
２ｈ、２ｌ  切欠部
２ｉ、２ｍ  凸部
２ｊ、２ｎ  先端部
２ｋ、１０２ｋ  固定金具
３、１０３  ハウジング
３ａ  凸部
３ｃ  ねじ溝
３ｄ、１０３ｄ  段部
４、１０４  転換子
４ａ、１０４ａ  凹部
４ｂ、１０４ｂ  スチールボール
４ｅ  穴
５、１０５  切換子
６、１０６  座金
７、１０７  ナット
８  可動接片
９  基体
１０  共通接片
１１  固定接片
１２  棒
１３  ロック金具
１０８  ねじりコイルバネ
１０９  軸
１１０  上蓋
【図１】
2006328726.tif 000003
【図２】
2006328726.tif 000004
【図３】
2006328726.tif 000005
【図４】
2006328726.tif 000006
【図５】
2006328726.tif 000007
【図６】
2006328726.tif 000008
【図７】
2006328726.tif 000009
【図８】
2006328726.tif 000010
【図９】
2006328726.tif 000011